(57)【要約】【課題】かき殻に含まれるミネラル類が溶出しやすく、植物の生長促進効果が高いかき殻肥料を提供する。【解決手段】かき殻と腐植土と松枝、松葉および松笠のうち少なくとも１種以上とを成分に含む。腐植土はフルボ酸鉄を鉄成分の重量で０．５重量％以上含む。腐植土の分量はかき殻に対し５重量％以上２０重量％以下である。さらに、３００℃乃至４００℃の温度で加熱したほっき貝殻を含む。ほっき貝殻の分量はかき殻に対し５重量％以上２０重量％以下である。【選択図】なし【特許請求の範囲】
【請求項１】
かき殻とフルボ酸鉄と松枝、松葉および松笠のうち少なくとも１種以上とを成分に含むことを特徴とするかき殻肥料。
【請求項２】
かき殻と腐植土と松枝、松葉および松笠のうち少なくとも１種以上とを成分に含み、前記腐植土はフルボ酸鉄を鉄成分の重量で０．５重量％以上含み、前記腐植土の分量は前記かき殻に対し５重量％以上２０重量％以下であることを特徴とするかき殻肥料。
【請求項３】
さらに、３００℃乃至４００℃の温度で加熱したほっき貝殻を含むことを特徴とする請求項１または２記載のかき殻肥料。
【請求項４】
前記ほっき貝殻の分量は前記かき殻に対し５重量％以上２０重量％以下であることを特徴とする請求項３記載のかき殻肥料。
【発明の詳細な説明】
【技術分野】
【０００１】
本発明は、植物の成長を促進するためのかき殻肥料に関する。
【背景技術】
【０００２】
従来のかき殻肥料として、かき殻と腐植肥料とを混合して成るものがある（例えば、特許文献１または２参照）。
【０００３】
【特許文献１】特開平９−１１０５６４号公報
【特許文献２】特開平９−１５７０７７号公報
【発明の開示】
【発明が解決しようとする課題】
【０００４】
かき殻には、酸化チタン４１ｐｐｍ、カルシウム４５重量％、鉄６２００ｐｐｍ、亜鉛４３．４１ｐｐｍ、マンガン１４００ｐｐｍ、カリウム３２０ｐｐｍ、リン１６００ｐｐｍ、マグネシウム５２００ｐｐｍ、セレン５２２００ｐｐｍ、モリブデン２７４８ｐｐｍ、珪素７１００ｐｐｍ、銅８．６１ｐｐｍ、ナトリウム１．５５重量％、ゲルマニウム５ｐｐｍ未満、クロム１ｐｐｍ未満、コバルト４４重量％、ニッケル１ｐｐｍ未満、リチウム２ｐｐｍ未満、バナジウム２ｐｐｍ未満、キチン質、炭素、ラミナリン、コンキオリン有機窒素１５重量％、酸素、水素、硫黄、ヨウ素、フルボ酸などが含まれる。
【０００５】
これらのミネラル類は、植物の成長に有用である。しかしながら、従来のかき殻肥料では、かき殻に含まれるミネラル類が溶出しにくいため、植物の成長促進の効果に限界があるという課題があった。
【０００６】
本発明は、このような従来の課題に着目してなされたもので、かき殻に含まれるミネラル類が溶出しやすく、植物の生長促進効果が高いかき殻肥料を提供することを目的としている。
【課題を解決するための手段】
【０００７】
上記目的を達成するために、本発明に係るかき殻肥料は、かき殻とフルボ酸鉄と松枝、松葉および松笠のうち少なくとも１種以上とを成分に含むことを特徴とする。
【０００８】
本発明に係るかき殻肥料は、腐植土を含み、フルボ酸鉄は腐植土に含まれることが好ましい。しかしながら、フルボ酸鉄は、土壌などから抽出したものであってもよい。腐植土は、フルボ酸鉄を鉄成分の重量で０．５重量％以上含み、腐植土の分量は、かき殻に対し５重量％以上２０重量％以下であることが好ましい。腐植土は、フルボ酸を含むことが好ましい。本発明に係るかき殻肥料は、土壌などから抽出したフルボ酸を含んでいてもよい。本発明に係るかき殻肥料は、いかなる形態であってもよいが、土壌中に養分が浸透しやすい液状、粉状または細粒状であることが好ましい。
【０００９】
本発明に係るかき殻肥料は、土壌１０ａ当たり、かき殻重量で２０ｋｇ乃至３００ｋｇの使用が好ましい。本発明に係るかき殻肥料は、栽培作物に応じて適した使用量が異なり、土壌１０ａ当たり、稲作の場合には１２０ｋｇ前後、野菜栽培の場合には１４０乃至１５０ｋｇ前後、果樹栽培の場合には２００ｋｇ前後の使用が好ましい。本発明に係るかき殻肥料は、土壌の表面に散布して使用することが好ましい。
【００１０】
本発明に係るかき殻肥料は、フルボ酸鉄により、水に溶けないかき殻に含まれるミネラル類を溶出させることができる。フルボ酸もまた、水に溶けないかき殻に含まれるミネラル類を溶出させることができる。このため、本発明に係るかき殻肥料は、植物にとって成長に必要なミネラル類を利用しやすく、植物の生長促進効果が高い。
【００１１】
本発明に係るかき殻肥料は、さらに、３００℃乃至４００℃の温度で加熱したほっき貝殻を含むことが好ましい。前記ほっき貝殻の分量は前記かき殻に対し５重量％以上２０重量％以下であることが好ましい。３００℃乃至４００℃の温度で加熱したほっき貝殻は、加熱したかき殻よりかなり高い抗菌力を有し、病虫害を減少させる。
【００１２】
本発明に係るかき殻肥料は、さらに、腐植土と砂鉄と加熱かき殻とかき殻に付着する藻とを含み、前記フルボ酸鉄は前記腐植土に含まれており、前記腐植土はフルボ酸を含み、前記砂鉄は加熱かき殻用かき殻とともに３００℃乃至４００℃の温度で加熱した浜砂鉄から成り、前記加熱かき殻は前記砂鉄とともに加熱された加熱かき殻用かき殻から成ることが好ましい。この構成のとき、特に、かき殻に含まれるミネラル類が溶出しやすく、植物の生長促進効果が高い。３００℃乃至４００℃の温度で加熱したかき殻は、抗菌力を有し、病虫害を減少させる。かき殻に付着する藻は、土壌中に供給されて植物の養分となる。
【００１３】
本発明に係るかき殻肥料で、加熱かき殻は炭酸ナトリウムを１．５重量％以上含み、分量が前記砂鉄に対し２００重量％以上４００重量％以下であることが好ましい。また、本発明に係るかき殻肥料で、藻の分量はかき殻の重量に対し９分の１乃至１７分の３であることが好ましい。かき殻に付着する藻は、藍藻が好ましい。藻は、天然乾燥させ、それを細粒状に破砕されたものが好ましい。本発明に係るかき殻肥料は、農薬を使用しない有機栽培に適している。
【発明の効果】
【００１４】
本発明に係るかき殻肥料によれば、かき殻に含まれるミネラル類が溶出しやすく、植物の生長促進効果が高い。
【発明を実施するための最良の形態】
【００１５】
（一）本実施の形態のかき殻肥料（当かき殻肥料）の土壌施用後の毛細根育成の実態
植物は葉から光と炭酸ガスを吸収して糖を合成する光合成が行われる。そして、葉から酸素を出す。ところが、植物の葉が正常であるという条件には根の（毛細根）が丈夫でなければ葉の健全さを保つことは出来ない。即ち、根が貧弱だと葉の光成分や、酸素を排出するエネルギーが失われてしまうのである。
植物の根がすっかり出来上がっているということは、毛細根の構成は、土壌微生物（有益菌、有害菌）のバランスによって、これらの微生物が生まれてくるのである。フルボ酸、フルボ酸鉄を含む当かき殻肥料には、２８種のミネラル種を検出している。その後、更に微量元素として４０種以上も含むことも判明した。
【００１６】
（ａ）水稲栽培。作物栽培の毛細根生育の現実
こうした栄養分をとりこんだこの肥料を水田稲作に施用した場合、これまでの日本で栽培してきた水稲栽栽培と全く違った信じられない毛細根の生育が見られた。
因みに、田植え後、約３０ｃｍに成育した稲株を、当かき殻肥料施用の稲１株と、従来までの水稲栽培を実施してきた稲１株を水田から取り上げ、その両方の稲の毛細根を観察すると、当かき殻肥料を施用した稲の葉場合、約１０倍以上の毛細根の生育が発見することが出来た。
この巨大な毛細根は前述のとおり微生物によって生まれてきたが、この根に大量の保水力と多元素の栄養分を凝集されていることがわかってきた。
【００１７】
この毛細根に集まる保水、栄養分は、毛細根が完成されると次第に上部の茎を形成し、やがて葉に供給されるのである。葉に供給される道筋には必ず茎がある。茎は、こうした植物を支える骨格を示している。
即ち、茎と根は主としてカルシウムが必要であるが、そのほかカリウムのほか、種々のミネラル（微量のミネラル種）の相互作用がないと健全な茎と根を構成することは出来ない。当かき殻肥料はこうしたミネラル種を多く含む肥料の骨格形成が完成されるのである。当かき殻肥料は有機質肥料で「水素化触媒」で自然の生態系で、どんどんイオン化しているのである。
勿論、この時、フルボ酸、フルボ酸鉄の役割はここで求心的役割を担っているのである。ところが、かき殻肥料でも焼成したものや化学肥料等の無機質肥料の土嬢への施用では決して各種ミネラル元素をイオン化することは出来ない。
毛細根、茎の発育生長は葉、そして花、実に波及することになるのは当たり前なのである。あくまでも、こうした作物の生育成長には、土壌中で必ず微生物の繁殖を促進する酸素を運び、栄養分を運ぶことから始められる訳である。その際、その運び役は、このミネラル種の中でもフルボ酸鉄という鉄イオンなのである。この肥料中には鉄イオンが６２００ｐｐｍ含有している。
従って、このかき殻肥料に含まれる全成分は、作物の地中の毛細根に凝集され、その毛細根の構成の段階で微生物が生まれ、それが巨大化し、この毛細根から茎、そして葉、花、実という経路で、当肥料の成分がとりこまれることになるのである。
こうした事実関係は何も水稲栽培にのみ適用されているということではなく、全ての作物栽培上の主要ミネラル種が多くないと土壌の免疫力を高めることは出来ない。土壌の健康を保つことは作物も健康なものが出来るということである。
【００１８】
植物の成長は根の活性から始まる。しかし、私たちの目で植物の成長を観察すると地上の成長を確かめることが出来ても、地中の毛細根のことまで観察は出来ない。
水稲栽培の場合、当かき殻肥料を使用した場合、地上に見られる成長は実に遅い。その間、地中で盛んに毛細根の形成に活動していることを知るべきであり、この形成が完成されると地上の成長に驚異の作物本来のパワーを発揮するのである。
だから、病虫害にも強く、干ばつ、日照り、強風にも強く、短い日照不足にも対応出来るパワーを備えていることも確かである。但し、長期に亘る降雨、長期に亘る日照不足に対する作物の出来、不出来は、他の肥料を土壌へ施用して栽培した作物と比較して信じられない免疫性を備えたものとなり、収穫量も落ちることは少なく、また、更に、水稲の場合、最終的にその収穫した米の味覚は「食味」だけでなく「うま味」を加えた味に発展していることも判ってきた。
【００１９】
水稲栽培と毛細根について当かき殻肥料について説明したが、水稲だけでなく、通常の作物栽培については既に約２６件に亙る試験栽培を実施し、過去十数年間の経験則で証明ずみである。
なお、特に明示しない限り、本実施の形態のかき殻肥料（当かき殻肥料）の事例、実験例その他の実例は、以下で述べる実施例に示す構成で行っている。
【００２０】
（ｂ）水素化触媒（均一触媒。金属触媒）について
〔湿原。湿地地帯の褐鉄鉱、磁鉄鉱の触媒のメカニズム〕
褐鉄鉱の触媒的役割（フルボ酸とフルボ酸鉄）
既に、褐鉄鉱は７００〜８００℃で溶解出来るということを述べた。こうしたことはフルボ酸とフルボ酸鉄という鉄イオンが褐鉄鉱の鉄の酸化物を溶解することができる触媒的役割があるということである。
通常、鉄が熱で溶解する温度は、炭素を含む場合、約１４００〜１５００℃である。しかし、チタン分の多い砂鉄の場合、１５２５℃以上の高温でないとこの種の鉄は溶解できないのである。こうした高温による製鉄方法は大陸、朝鮮半島から日本へ渡来した輸入品であったのがこれまでの日本での製鉄製法だったのである。しかし、日本古来の文化を考える上で非常に重大なことが分かってきた。
それは、湿原、湿地地帯の褐鉄鉱なのである。
褐鉄鉱とは若干の吸着水をもつ水酸化鉄の集合体の総称で、沼地。湖沼。湿地。浅海底で含鉄水が空気中や水中の酸素により、又、バクテリアの作用により、酸化、中和し、水酸化鉄として鉱泉の流路に沿って沈殿したものである。
【００２１】
空気中の酸素、水中の酸素により、又、バクテリア作用により酸化、中和し、鉄バクテリアが自己増殖して細胞分裂を行う。ということは、その背後には必ず酸素（Ｏ）水素（Ｈ）が関わり、フルボ酸とフルボ酸鉄という鉄イオンの触媒があるということである。
この触媒については、フルボ酸と土中に溶出しているナトリウムが大きく関与していることも分かってきた。この際のナトリウムは水酸化ナトリウムである。
【００２２】
地球誕生、地球創世時には陸地では、地球のいちばん外側の殻にあたる地殻は、数１０ｋｍの厚さをもち、主にドロドロに溶けたマグマが冷えて固まった火成岩（花崗岩。玄武岩）から成っている。
酸素（４６．４％）珪素（２８．１５％）アルミニウム（８．２３％）鉄（５．６３％）カルシウム（４．１５％）ナトリウウム（２．３６％）マグネシウム（２．３３％）カリウム（２．０９％）の八元素が地殻構成元素の９９．３４％を占めており、東北地方の湿原、湿地地帯を二つに分類した。その一つに（１）海岸より内陸に入る湿原、湿地地帯（海岸線より平野部へ数ｋｍ内陸部）がある。
この地域は現在の海岸線より数ｋｍ内陸の平野一帯となっており旧海岸線であり、この地域は縄文、弥生時代以降、湿原、湿地地帯となり、陸地における地殻構成元素中のナトリウム（２．３６％）の存在量を大きく上まわる湿原湿地の地殻構成の一物質となる。
【００２３】
そして、中部、関東、東北地方には落葉広葉樹が多く、この樹木の枝に付く葉は鉄を含み、約半年足らずで落葉し、地上で腐葉化され、フルボ酸となるが、更に、これがフルボ酸鉄という酸素をとりこまない鉄イオンと結ばれる二物質が湿原、湿地地帯の土壌地帯に溶解され、更に葦、茅、薦といわれる禾本科植物の根から排出される鉄分も溶解してしまう。
この時、酸素と結ばれた鉄は酸化鉄、酸素と結合しない鉄としてフルボ酸鉄という鉄イオンがある。このフルボ酸鉄と、湿原、湿地地帯の水中地殻に溶けこんでいる［ナトリウム］が［酸素］と交わり、湿原、湿地地帯の［水］によって水素化触媒が始まる。この場合、溶解している物体は固体、気体でない液体物質であるので均一系触媒、金属触媒ととも言われている。
落葉広葉樹林で生み出されるフルボ酸とフルボ酸鉄の役割は、いろいろなミネラル元素を溶解する働きをもち、水素化触媒（均一触媒、金属触媒）に発展しているのである。
【００２４】
（３）水稲栽培の最終事例（毛細根形成から収穫へ）
第１例（岩手県北上市和賀町堅川目）
田園全面積、計７５ａ  平成１４（２００２）年減反１６ａで稲作耕作面積は本年度５９ａとして水稲栽培を実施した。前年秋、稲刈終了後耕耘機で田圃を耕し、直ちに１０ａ当たり、当かき殻肥料１袋２０ｋｇ分を４袋分即ち計８０ｋｇを施用した。平成１４年５月１０日田植えを実施した。６月２５日葉が立ってきた。これまでは順調でしたが、他の田圃の水稲と比べて色も黄変色となった。葉が立って黄変色となったことは受光体制となり窒素が切れたということで、肥料（商品名「ＬＰ５０５」（窒素１５，リン２０，カリ１５））を１０当たり２０ｋｇを施用した。７月２０日更に、肥料（商品名「オールマイティ」（１２．８．１０））を１０ａ当たり１０ｋｇを施用した。稲の葉立ちは消え、黄変色の皆無となった。次は、除草剤不使用の稲作栽培（水田）の報告をした。田圃の水面の排水口には田にしが発生し、どじょうが田圃一面に生育していることを確認し、蛙も生きていることも確かめるに至った。東北地方でもこの地方は低温と本年は、長雨続きで、収量は平均１０ａ当たり８．５袋であるが、この実験田では、９．７袋も収量もあって、米を精米した段階で約９８％までは実の大きく何れも１等米の折紙づきの精米となった。
【００２５】
第２例（宮城県角田市高倉）
水稲栽培の耕作面積は計５０ａで前年度、秋、稲刈り終了後１３日後に当肥料１０ａ当たり２０ｋｇ入れ６袋分を施用した。本年度、田植え後、約１か月半過ぎたあたりから葉立ちと黄変色が見られ、直ちに、三要素を１０ａ当たり１０ｋｇ施用した。その後、日増しにその相乗効果が現われ見事に回復した。勿論、病虫害の発生はなく、水田は田にし、蛙、どじょうの生存地となり、無農薬で米づくりが出来た。
前述の第１例と同じ、水田に入る用水量は約２倍強に増量したら除草する散布は無くとも草は生えなかった。１０ａ当たりの収量は９．５俵でした。本年度産米は長雨と天候不順で１０ａ当たり約８俵程度の収量いうのがこの地方の収量であるが、昨年の１０．５俵を約１俵減となった。しかし、味は確かなもので「ねばり」があって食べた後の味覚にうま味が残るという舌ざわりがあり、近隣農家では専ら評判米であった。そして精米の段階で、この肥料で栽培した米は無駄がない、即ち、くず米が全くないという特徴をもち、全部一等米として出荷した。
【００２６】
第３例（秋田県雄勝群羽後町西馬内）
水稲栽培の耕作面積は計２１ｈａで平成１４（２００２）年このうち、８００ａだけを当かき殻肥料を施用した。ここ羽後町地域は湿地地帯で春の雪解けから開放され田園一帯が乾燥した段階で肥料を施用しなければならない事情があった。そこで、平成１２年度には１０ａ当たり、当肥料は２．５袋。同１３年は３．５俵と増量し、本年度は５俵施用した。
水稲栽培で当肥料を春に施用するという事は、自然がもたらした事情だけではなく、どんなことをしても窒素欠乏を余儀なくなるということを知り、１０ａ当たり５袋分を計１００ｋｇを水田に追肥を３回程に分けて当肥料を施用し、窒素欠乏の状況で、これを１０ａ当たり１０ｋｇ施用した。しかも、本年度は空中散布による除草駆除は断わり、既に、茨城県麻生地方で実施した水田に用水する水量は、第１例、第２例の方法の通常の倍強に増やしたら雑草は生えないという環境水田になった。こうした水田では、例年より田にしの発生、そして水田を泳ぎまわる生き物の多いことに驚き、どじょうも多く生きている事が判ってきた。平成１４年度、秋の収穫も、あの天候不順と長期に亙る長雨にも拘わらず、１０ａ当たり平均収量１１．３俵を得た。しかも、くず米は出ず、すべて一等米とて出荷された。
そして、味も信じられない食味とうま味を加え、全くの無農薬米とした。
【００２７】
さきの第１例、第２例とは又違うことは、秋の刈り入れ後に当肥料を全部施用する方式はどうしても、当肥料中に含む三要素はどうしても水に溶出しやすいため、春になって田植え後に追肥追肥の状況で施用する困難、即ち、農業人の高齢化がこういう結果を見ているのである。しかし、第１例、第２例とも春以降、窒素欠乏を最終的に充分に追肥という方法で乗り切ることが出来た。そして、他と比較出来ない無農薬米が既に確かなものとして存在していたことが判明した。従って、水稲栽培で当肥料を施用した農家は２６件全部が第１例、第２例の試験事例で明らかになりました。第３例の場合、無農薬米として、しかもその産米はすべて一等米として出荷している。
【００２８】
「不斉合成反応」と当かき殻肥料との関係
不斉合成反応とは、通常キラルという言葉で表現している。
これは、人をはじめ動物は左右対称の格好をしている。人は右手と左手が異なるように、分子の世界にも「右型」「左型」の二種類の構造がある。この性質を「不斉＝（キラル）」と呼ばれている。
このように生命世界が一方に偏っている理由を探る研究は飲み薬や農薬の効き方に関係があるようである。
これまで土壌中へ施用される肥料でも必ず主軸になる肥料がある。この肥料だけで作物栽培し不可能だから、別な肥料を施用する。
中心施用の肥料が「右型」だとすると、追加、補給肥料は「左型」ということで、これまで作物がつくられてきた。
この結果、作物に病気が付き害虫類が発生し、もう土壌は酸性化して土壌も作物も、全く不健康の状態になってしまう。
【００２９】
ところが、「効果」でも記したが、この「フルボ酸、フルボ酸鉄のかき殻肥料」は病虫害を激減させ、農薬と肥料の両方の効果を果たすことが出来るということは、フルボ酸、フルボ酸鉄による水素化触媒反応によって「不斉合成反応」がここに展開した証しである。
従って、人間の健康も、土壌や河川、湖沼の水質、森、海も、そして分子の世界も皆同じという考えで、この肥料の研究をしてきた。
【００３０】
（二）  当かき殻肥料の水田（稲作）と作物栽培施用の集録結果についての報告
当かき殻肥料は有機肥料であるが、使用する時はあくまでも有機肥料と使用することを原則とする。出来ることならば当肥料オンリーワンにプラス三要素（特に窒素）をどの位の量を追肥として使用するかが無農薬米の栽培が出来るかという重大なポイントがある。それには、各水田の土壌環境は全部違うということと、その土壌と稲の生育状況によってこの三要素の使用量の鍵がある。
有機肥料は有機肥料の仲間がある。分子構造の世界には必ず左の世界と右の世界があると同じで「対」になっている反応は「不斉合成の反応」でなければ分子の存在は不可能とされ、当肥料は、「発明の効果」の中で明記されている通り、病虫害を減少させることができ、農薬と肥料の両方の効果をもたらすことができる。
正に不斉合成反応の肥料である。しかし、三要素の施用は化学肥料であるので、当肥料の有機肥料との併用使用し不斉合成反応の反応ではないという問題が出てくる。この問題解決には、有機肥料で水に溶出し易いことで、水素化触媒（均一触媒、金属触媒）によって、三要素中の窒素、リン、カリを簡単に溶出することが出来る。因みに水にとけ易いミネラル種ととけにくいミネラル種をここで述べる。
【００３１】
○ 最も水に溶けるミネラル種
（ナトリウム。カリウム。窒素。リン。珪素。）
○ 水にやや溶けるミネラル種
（カルシウム。マグネシウム。）
○ 最も水に溶けにくいミネラル種
（鉄の酸化もの。アルミニウム。）
○ 殆ど水に溶けにくいミネラル種
（他のミネラル種元素全部を含む。）
【００３２】
◎    当肥料オンリーワン。プラス三要素（特に窒素）の水田稲作栽培での施用結果
（１）完全無農薬栽培が確立したこと。
（２）稲作栽培上、省力等の無駄。手間が省ける結果がある。
（３）原則的にオンリーワン肥料であるので他の化学肥料は受け入れると 土壌活性化が失われる。
（４）病虫害が減少‥‥はカメムシ、イモチ病の発生は皆無である。（但し、他の水田に関わる道筋の雑草駆除の或る程度の努力が要請されることもあり得る）従ってカメムシ発生の場合、稲穂の実にカメムシの先の針でこの白い穂汁を吸う虫であるが、この肥料で栽培した稲穂の外殻は非常に硬質に形成されていてカメムシの好汁としては不適であることでカメムシの完全駆除がここで実証された。又、病気減少については、当肥料に含有するミネラル種でも、主要元素はもと より微量元素の含有が驚くべき数に達し、これが水素化触媒によって作物を形成する毛細根に凝集され、やがて上部の茎、葉、実に吸収されることが判明した。
（５）無駄米が殆ど皆無である。（くず米なく、すべて一等米として生産されている）。
【００３３】
（６）収量は画一的ではないが、１０ａ当たり約１〜３俵程の増量収穫を確立している。
（７）産米そのものには、ダイオキシン、有害化学物質を分解する肥料として利用され、最終的には他の肥料代、そして農薬散布の不必要で、その農薬代もいらない低コスト費用で無農薬栽培委できる肥料である。
（８）産米の味覚はこれまでの食味と更に、うま味を加えた味となり食べた後に、その味に第５の味らいを覚える食感を得ることが出来た。
（９）水素化触媒を果たすためにはなくてならない物質は水酸化ナトリウムとフルボ酸とフルボ酸鉄（鉄イオン）と更に、主要ミネラル種、微量ミネラル種の相互作用があることである。このための求心的役割を果たすのが、フルボ酸とフルボ酸鉄という鉄イオンである。即ち、水に溶出しにくいミネラル種元素を溶出することが出来る物質、フルボ酸、フルボ酸鉄であるということである。
（１０）当肥料中に含む鉄が水素化触媒が始まると鉄イオン化し、この分量と同じ分量がフルボ酸であることが判明した。ここでフルボ酸について次のようなコメントがある。
【００３４】
第４例（秋田県仙北群千畑町）
平成１４（２００２）年５月中旬、なすの苗を畑に植付けし計２０箇所。その後の生育は当かき殻肥料を施用し、順調であった。６月下旬となり地上での生長は約２５ｃｍになった。又、なすの根元に約１５ｇのフルボ酸を投入し、計５株の茄子に施用した。
又、一方の計５株の各根元に同じく約５ｇつづの藍藻（ランソウ）を施用した。この土壌に、各フルボ酸とランソウを別々にこの土壌へ施用したら１０日後、全部しおれて枯れてしまった。確かに、この茄子栽培の地中土壌には当肥料が施用されているにも拘わらず、朽ちてしまうということはｐＨ測定器で計測したら、ＰＨは３．８〜４．２の状況にあることがわかった。
従って、作物栽培。水稲栽培時の土壌環境。水稲栽培時の土壌環境。ここでは土壌のＰＨ値はどのような位置にあるかを調べてからの施用でないとこういう結果を生むことになるということである。
【００３５】
ここで要約すると、フルボ酸とフルボ酸鉄は各種ミネラル種の元素も水素化触媒によって溶出することが出来ることが可能であっても、大量の施用が枯れることがわかった。そこで、当かき殻肥料のキーワードは、重大な二大ポイントがあるということである。又、藍藻も同じ土壌を酸性化に拍車を加える物質であることもわかった。
【００３６】
そこで、当かき殻肥料の四大キーワードとは以下のとおりである。
（三）  当かき殻肥料の四大キーワード
〔１〕  フルボ酸、フルボ酸鉄のうちの鉄成分が水素化触媒を開始するために必要な鉄イオンになり得る成分は５重量％以上、腐殖土の分量は２０重量％以上を当かき殻肥料に入れること。
〔２〕  当かき殻肥料に付着する藻、即ち、藍藻（ランソウ）は常に９分の１又は、最大で１７分の３以上の含有では生物生長に黄色のシグラルとなるため、この分量以上の藍藻成分であるということ。
〔３〕  作物栽培する上で作物の種別によって当肥料の土壌中への施用量の範囲がある。これを厳守するということである。
※  〔３〕項は微生物の誕生を促すことで、土壌中に残留する有害化学物質を分解することが可能で、更に、水素化触媒が出来ることでの当肥料の１０ａ当たりの面積での施用量がここに確立している。
〔４〕  当かき殻に含まれる成分には、主要ミネラル種はもとより、微量ミネラル種が多量入っており、既に２８種を検出しており、最近、そのほかに、微量ミネラルが約３０〜４０種の含有があることも分かってきた。こうした成分を有するかき殻肥料を土壌へ施用すると土壌中で微生物が生まれ、これらよってダイオキシン等有害化学物質を分解することができる。
（さと芋栽培と毛細根生育の事例）
【００３７】
第５例（秋田県平鹿群山内村筏）
当かき殻肥料をさと芋栽培のため土壌へ施用して満３年目である。平成１２年度は１０ａ当たりの土壌に当肥料を６袋分計１２０ｋｇ。同１３年度は７袋分計１４ｋｇ。平成１４年度は８．５袋分計１７０ｋｇを施用した。さと芋は通称いもの子と言ってるが、このさと芋栽培のポイントは食した場合の味はとろっとした歯触りと味覚によるうまさであるということである。そして大きは中程度のものが１株に多く付くというものが極上ものと策定している。当肥料で栽培する作物。水稲栽培の実験の結果、毛細根の生育で信じられない収量を得、そのうま味は舌と口中に広まるという品として出荷している。しかも平成１４年度は、秋田県農業公社から無農薬。無化学肥料の認証番号を頂き山内村ただ一人の特選を頂いた。
【００３８】
（松の枝折れと松枯れ回復のための毛細根生育の事例）
第６例（宮城県宮城郡利府町青山）
西斜面隣にこの団地造成の斜面、傾斜約４０度に大小３本の松の苗を植えられた土留め用に植林された黒松であった。
一本目の黒松は高さ６ｍものと２ｍ。そして６ｍもので幹の太さは、それぞれ茎２５ｃｍ１０ｃｍ、２５ｃｍの松の生育状況になっていた。
平成１２（２００２）１２月末、この地方をおそった大雨と強風の影響で三本の黒松は根元から立ち上がりから４０ｃｍ、２２ｃｍ、４７ｃｍのところから分かれた枝が折れてしまった。平成１３年六月中旬になって松の葉（緑の針葉）にいたるところに茶褐色になっていることをこの目で確かめ、松枯れ現象が全部に拡がっていることが分かった。そこで先ず枝折れ回復を図るため、幹の太い部分に丁字型の支柱をするため棒と縄で折れた枝を支える作業でその応急処置を終えた。次に松枯れ防止と回復をするため、三本の黒松樹生の総面積約２０ｍ2に当かき殻肥料１袋分計２０ｋｇをこの面積地内に全面施用を試みた。ところが平成１４年の春、この黒松の幹からどんどん新芽が出ることがここで確かめることが出来た。そして本年１０月２３日現在、松枯れが見事なくなり、回生したことを確かめることが出来た。
一体、松の根の生えている地下組織といっても根の張る面積は丈の高さを半径としたところが栄養分を吸収する先端であるため約２０ｍ2の面積全散布をした。
【００３９】
松枯れはペーハー３〜４の強酸性の土壌になった段階で松枯れ現象が既に存在していた。即ち、松の根から吸収する松やにがなく、しかも酸性雨という二重に亙る原因で松の根の先端が毛細根が生育していることが地中内部で確認することが出来た。今、当肥料は松枯れ回生又、桜の樹木の回生術に不可欠の肥料であることも分かってきた。
平成１３年度、宮城県宮城郡松島町では仙台湾、松島湾の島々、湾岸周辺に樹生する数万〜数十万本に及ぶ黒松。赤松の松枯れ防止のため木酢液と木炭を使用することでその回生を図ることができた。確かにこの物質は全面積に散布するのは一時的に予防は出来ても持続性はなくなることも明らかである。従って酸性雨にも対応出来、免疫性の高い当かき殻肥料の散布でその回生が間違いなく出来るということも分かった。日本全土に拡がる酸性雨にもよると考えられる松枯れ、枯れ防止に免疫力を高める物質、即ち、当かき殻肥料で解決出来る。
【００４０】
（四）  当かき殻肥料と他のかき殻肥料の相違点
既に、日本国内で生産され、これを粉粒状に加工し、更に、このかき殻を焼成して商品化して販売され各作物等の栽培に施用されているのが、これまでの国内で普及してきた。そのシェアは何と９８％に達しているのが現状である。
焼成加工のかき殻肥料は、確かに粉粒状にするには簡単にすることでかき殻を焼成するということは、約３００〜７００℃の高温で一回〜二回程、焼いてから加工した場合、これまで、即ち、焼成後のこのかき殻は、水素化触媒を行えば有機肥料である筈なのである。しかし、焼成後のこのかき殻は、焼くことによって無機質となる。要するに無機質というのは鉱石ということで、最早、ちょっとやそっとで水に溶出することは出来ない。
従って水素化触媒は殆ど不可能となる。無機質の状態で水に溶け易いミネラル種は謹かに５〜７種の元素なのである。
即ち、
○ 最も水に溶けるミネラル種‥‥（ナトリウム。カリウム。窒素。リン。珪素）
○ 水にやや溶けるミネラル種‥‥（カルシウム。マグネシウム）
これまで日本国内で普及（９８％）しているかき殻肥料は、土壌改良剤として評価されている実態は、最も水に溶け易いミネラル種である珪素がその救心的役割を果たしているのである。
【００４１】
当かき殻肥料は全く焼成加工することなく天然ものを利用して自然界の生態系で水素化触媒が行われる完全有機肥料なのである。勿論、土壌改良剤としての評価よりも、オンリーワン、即ち、「スーパー肥料」として今回開発した有機肥料なのである。
戦後４０〜５０年これまでのかき殻肥料は焼却して加工して肥料化したもの無機質のまま使用されてきた。無機質のまま土壌に入れると微量ミネラル種元素は水に溶出しにくい状態となり、そのまま土壌中で残留することになり、土壌環境も悪化し、強酸性〜酸性土壌になり、土壌中に白い層として残ることとになる。こういう土壌環境を回生する試みとして戦後、ずっといろいろな化学肥料を更に使用し、ありとあらゆる農薬散布だけの繰り返しで見かけだけの農産物が市販されてきた。土壌回生する試みが今日の日本国内で栽培された農産物は果たして私達の食の安全を支えてきただろうかと考える。
【００４２】
要点となる相互点は以下のとおりである。
（１）従来のかき殻肥料が焼成したものを利用するのに対し、天然物で、かき殻肥料を焼成しないものを利用する。
（２）四大キーワードがある。
〔1〕フルボ酸、フルボ酸鉄（鉄イオン）含有する。
〔2〕藻、即ち藍藻の配合割合（9:1〜17分の3以下）
〔3〕作物の種別によって10ａ当たりの施用量がある。
〔4〕従来のかき殻肥料が無機質のためミネラル種が５〜７程度であるのに対し、主要ミネラル種のほか微量ミネラル種が28〜70含む。
【００４３】
（３）従来のかき殻肥料が無機質肥料であるのに対し、有機質肥料である。
（４）従来のかき殻肥料は水素化触媒がほとんどできないのに対し、水素化触媒が可能である。
〔1〕従来のかき殻肥料が水に殆ど溶出しないのに対し、水に溶出し易い。 
（５）微量ミネラル種が多い（28〜70）
【００４４】
（６）土壌中で微生物が生まれ繁殖する。
（７）ダイオキシン等有害化学物質の分解と無毒化できる。
（８）オンリーワン＋αの肥料である。
（９）従来のかき殻肥料が土壌改良肥料として利用されるのに対し、土壌改良肥料ではない。
（１０）不斉合成の反応（右の世界と左の世界の分子）あり。
【００４５】
（１１）完全無農薬野菜栽培が出来る。
（１２）無農薬米を生産する水稲栽培が出来る。
（１３）食の安全性が確保できる。
（１４）食味のほか「うま味」が出る。
（１５）これで栽培された作物はすべて日持ちする。（花卉も含む）
【００４６】
（１６）当肥料で栽培された米はくず米なく、すべて一等米である。
（１７）栽培された農産物の増収と品質性の高度性を生む。
（１８）免疫性の高い土壌にすることが出来る。（天候不順等）
（１９）毛細根の生育を促すことが出来る。
【００４７】
（２０）毛細根の生育完成時に有害化学物質（重金属を含む）を凝集化することが出来る。
（２１）酸性雨等に適応出来る免疫性土壌となる。
（２２）当かき殻肥料の土壌への施用は最終的には無農薬とオンリーワン＋αの肥料だから低コストで利用可。
（２３）日本中の松枯れ、立ち枯れ樹木の回生がある。
（２４）藻、即ち、藍藻は海の生き物の凝集されたもので、雑草駆除にはなくてならない物質であるので、これを製品化することが可能である。
（２５）毛細根に凝集化された有害化学物質（重金属を含む）を、そのまま高温で焼却することで、無機質となる。
無機質（鉱石）の各ミネラル元素を抽出すれば、天然の無機質として工業用素材として再利用できる。
【実施例】
【００４８】
以下、本発明の実施例について説明する。
本発明の実施例のかき殻肥料は、かき殻と腐植土と浜砂鉄と加熱かき殻とほっき貝殻とかき殻に付着する藻と松枝・松葉・松笠との混合物から成る。かき殻肥料１単位は、かき殻５ｋｇ、腐植土０．５ｋｇ、浜砂鉄１ｋｇ、加熱かき殻３ｋｇ、ほっき貝殻０．５ｋｇ、かき殻に付着する藻０．５６ｋｇと松枝・松葉・松笠０．１ｋｇとから成る。かき殻肥料２０ｋｇが１つの袋に入れられて流通される。
【００４９】
腐植土は、フルボ酸鉄を鉄成分の重量で０．６２重量％含むとともにフルボ酸を含む。腐植土の分量は、かき殻に対し１０重量％である。浜砂鉄の分量は、かき殻に対し２０重量％である。加熱かき殻は、炭酸ナトリウムを１．５５重量％含む。加熱かき殻の分量は、砂鉄に対し３００重量％（３倍）である。浜砂鉄は、加熱かき殻用かき殻とともに３００℃乃至４００℃の温度で加熱してある。なお、加熱かき殻用かき殻は、加熱しないで用いるかき殻と同種のものでよい。加熱かき殻は、砂鉄とともに加熱された加熱かき殻用かき殻から成る。ほっき貝殻は、３００℃乃至４００℃の温度で加熱してある。ほっき貝殻の分量は、加熱しないかき殻に対し１０重量％である。藻の分量は、かき殻の重量に対し９分の１である。このかき殻肥料は、微粉状である。
【実験１】
【００５０】
２０００年８月２０日に宮城県加美郡小野田町のゴルフ場において、ダラースポット病の芝に対し、本実施例のかき殻肥料を使用し、試料群１とした。かき殻肥料の使用量は、ダラースポット病の芝１００ｍ２あたり５０ｋｇであった。肥料の使用は、所定の間隔をあけて円筒形の土壌採取器で芝を採取し、採取による穴にかき殻肥料を１００ｇ入れた後、採取した芝をもとに戻す方法で行った。
【００５１】
その結果、約２カ月後の１０月２４日には、本実施例のかき殻肥料を使用しない対照群１の芝ではダラースポット病が悪化し、すべての芝が枯れ死したのに対し、本実施例のかき殻肥料を使用した試料群１の芝ではダラースポット病が完全に消滅し、健康に成長していた。
【実験２】
【００５２】
砒素を含む汚染土壌１０リットルに本実施例のかき殻肥料２．５リットルを混合し、内径２０ｃｍ、高さ４５ｃｍの円筒形の鉢に入れ、２００１年６月１４日に枝豆の種子２粒と、とうもろこしの種子２粒を播いた。それらを試料群２とした。対照群２として、本実施例のかき殻肥料を使用しないほかは同様の条件の鉢に、同日に同様に種子を播いた。
【００５３】
１週間後、試料群２ではすべての枝豆、とうもろこしが同日で発芽した。対照群２では、その５日後の１２日目にすべての枝豆、とうもろこしが同日で発芽した。その後、対照群２は、７月１０日に５ｃｍまで伸びた段階で枯れてしまった。試料群２は、９月１４日の時点ですべての枝豆、とうもろこしが３４乃至３８ｃｍまで成長した。
【実験３】
【００５４】
秋田県雄物川町造山において、１０ａの畑に本実施例のかき殻肥料２００ｋｇを均等に散布した。２０００年５月１３日にその畑に１ｍ２あたり４個の白菜の種子を均等に播き、生育した。それらを試料群３とした。対照群３では、本実施例のかき殻肥料の代わりに石灰を中心とした従来の肥料を使用した。対照群３の肥料の使用量は、１０ａの畑に対し２００ｋｇであった。対照群３の肥料の使用方法は、試料群３のかき殻肥料の使用方法と同様であった。対照群３のその他の条件は、試料群３と同一に設定した。
【００５５】
２０００年８月１０日に試料群３および対照群３について、収穫を行った。その結果、試料群３と対照群３で、収穫個数はほぼ同数の４個であった。しかしながら、対照群３の白菜は１個当たりの重量が３乃至４ｋｇであったのに対し、試料群３の白菜は１個当たりの重量が７乃至８ｋｇであった。また、試料群３の白菜は、対照群３の白菜に比べて甘味が高かった。
【実験４】
【００５６】
秋田県雄物川町造山において、１０ａの畑に本実施例のかき殻肥料２００ｋｇを均等に散布した。２０００年５月３日にその畑に１ｍ２あたり２．５個のスイカの種子を均等に播き、生育した。それらを試料群４とした。対照群４では、本実施例のかき殻肥料の代わりに石灰を中心とした従来の肥料を使用した。対照群４の肥料の使用量は、１０ａの畑に対し２００ｋｇであった。対照群４の肥料の使用方法は、試料群４のかき殻肥料の使用方法と同様であった。対照群４のその他の条件は、試料群４と同一に設定した。
【００５７】
２０００年８月６日に試料群４および対照群４について、収穫を行った。その結果、対照群４では１株当たり６個の収穫であったのに対し、試料群４では１株当たり１０個の収穫であった。１０ａでの収穫量は、対照群４では７６５個であったのに対し、試料群４では１，２６８個であった。
【００５８】
水稲栽培の最終事例（毛細根形成から収穫へ）
事例１（宮城県角田市高倉）
水稲栽培するための耕作面積は計１００ａ（一町歩）である。このうち、平成１４年度は５０ａ分を当かき殻肥料を施用して完全無農薬の有機米の最終試験栽培を実施した。その経緯について次の表１に示すような結果を収録することができた。なお、農薬の殺虫剤には、市販の殺虫剤を用いた。
【００５９】
【表１】
2005314227.tif 000002
（註１）平成１４年度化成肥料の１０ｋｇの施用量は、宮城県南水稲１号ひとめぼれ専用の三要素（窒素１２，リン２０，カリ１８）配合を使用した。
（註２）平成１４年度収穫量９．５俵と前年度より、１．０俵減収、これは長雨、天候不順の結果であった。他の水稲は殆ど７．０俵となった。
【００６０】
<結果の収録>
（１）平成１４年度は当かき殻肥料を前年度の３．５俵から６袋へ増量施用を実施した。地下の稲株の毛細根が著しく多くなる。
（２）水田へ入れる水量は、前年度までの２倍までにしたら除草剤、殺虫剤なしで通した。
（３）病虫害全くなし。
（４）くず米０で精米の結果全部一等米である。
（５）味は食味のほかうま味が加わり、味にねばりが出てきた。
（６）無農薬、完全有機米が生まれた。
【００６１】
事例２（秋田県雄勝郡羽後町西馬内）
水稲栽培の耕作面積は平成１３年度は２０００ａ（２０町歩）であったが平成１４年度は２１００ａ（２１町歩）となった。肥料施用の内容を以下の表２乃至表４に示す。その結果の米の収穫量を表５に示す。
【００６２】
【表２】
2005314227.tif 000003
（２）奥山氏の硫アン独自配合法
◎１セット・・・・・・計１３２ｋｇ
（カルシウム石灰+塩化カリウム）
（５）：（１）
【００６３】
【表３】
2005314227.tif 000004
（註１）この配合は１セット１３２ｋｇとし、このうち１０ａ当り、１７．５ｋｇを田に施用する。同時にかき殻肥料７０ｋｇを施用する。
（註２）春、雪どけと共に、１０ａ当り、かき殻肥料を２０ｋｇ元肥として施用、５月中旬、田植側條に２０kg計４０ｋｇを元肥として使う。残り３０ｋｇは追肥として稲のブンケツ１２〜１３本が追肥のタイミングで、これを施用する。
【００６４】
【表４】
2005314227.tif 000005
（註３）平成14年度は10a当り、かき殻肥料を5袋とし、計100ｋｇを施用した。
（註４）硫アンの内容は、カルシウム、カリウム、マグネシウム、リン等で、当かき殻肥料にはこれらのミネラル種が十分に含まれており、10a当り、10kgとし、更に三要素を稲の生長を見て10kg施用した。
（註5）平成14年度は窒素欠乏は皆無、カメムシの発生、イモチ病の発生全くなし。
（註6）通常の水田での用水量を2倍にし、除草剤散布は全くなし。
（註7）無農薬、有機栽培米が生まれた。しかも食味にうま味が入る。
【００６５】
【表５】
2005314227.tif 000006
（註８）平成１４年度の稲作は、長期に亘る長雨が続き、しかも日照不足という天候不順であった。しかし、８月６日以降、漸く暑さと気温上昇が見られ、水稲の成育が回復してきた。
事例２以外の水稲栽培地では、１０ａ当り平均収穫量は、８〜９俵（４８０〜５４０ｋｇ）であった。
（註９）産米は全部一等米で羽後町では折紙付き銘柄米である。従って精米の段階で１００％くず米はない。
（註１０）本年度、事例２では、当かき殻肥料施用の水稲栽培面積は計８００ａ（８町歩）であった。